(57)【特許請求の範囲】
【請求項１】
テレビジョン画像信号を受信し、該テレビジョン画像信号は該テレビジョン画像信号に関連するデータ信号を持ち、該関連データ信号はテキスト及び/又はグラフィックのページを表し、ページはテレビジョン画像の代わりに又はテレビジョン画像に重ね合わされて表示可能な前記データであるテレビジョン受信機であり、当該テレビジョン受信機は、前記関連データの少なくとも選択されたページを取得するデータ取得回路と、複数ページのデータを記憶するマルチページメモリと、複数の異なる基準に従って取得されたページをグループ化する手段と、各グループの1ページ以上が現在表示されているグループのページとリンクされており、該表示されているページにリンクされるページの少なくとも幾つかに関係している複数の識別シンボルを表示する手段と、該識別シンボルの各々が、識別シンボルにより識別されるリンクされるページを表示のために選択することが可能であるページ選択手段におけるシンボルと関係づけられており、現在表示されている識別シンボルの該グループにどの基準が該当するのかを示す一つ以上の更なる識別シンボルを表示する手段とを有するテレビジョン受信機。
【請求項２】
前記識別シンボルが前記ディスプレイ上の前記ページの外側の所定の位置の行の中に表示される請求項1に記載のテレビジョン受信機。
【請求項３】
前記所定の位置が前記表示画面の底部の行である請求項2に記載のテレビジョン受信機。
【請求項４】
前記識別シンボルの各々が異なる色を持つ請求項1乃至3の何れか1項に記載のテレビジョン受信機。
【請求項５】
前記ページ選択手段は複数の着色されたキーを持つ遠隔制御ユニット、及び該遠隔制御ユニット上で操作される該キーの色により識別されるページを表示のために選択する手段を有し、該着色されたキーの色は識別シンボルの色に対応する請求項4に記載のテレビジョン受信機。
【請求項６】
表示されたページが2つ以上のグループのメンバであって、対応する数の識別シンボルの行が表示される場合、対応する更なるシンボルは各行と関連している請求項1乃至5の何れか1項に記載のテレビジョン受信機。
【請求項７】
前記グループのうち1つが、視聴者により入力された、又は該視聴者により習慣的に選択されるページを監視することにより生成されたお気に入りページのグループである請求項1乃至6の何れか1項に記載のテレビジョン受信機。
【請求項８】
複数のお気に入りページのグループが記憶され、少なくとも該グループの幾つかは異なる視聴者と関連しており、該グループにおいて更なる識別シンボルが、どの視聴者が選択されたお気に入りページのグループと関連するかを識別する請求項7に記載のテレビジョン受信機。
【発明の詳細な説明】
【０００１】
【技術分野】
本発明は、テレビジョン画像信号を受信し、該テレビジョン画像信号は該テレビジョン画像信号に関連するデータ信号を持ち、該関連データ信号はテキスト及び/又はグラフィックのページを表すテレビジョン受信機に関する。
【０００２】
【背景技術】
テレビジョン信号と多重化されたデータ信号の伝送はよく知られている。一例は、表示されるべき情報のページを表すデータが、標準のアナログテレビジョン画像信号の垂直帰線消去期間（the vertical blanking interval）中に送られるテレテキスト標準規格（the teletext standard）である。MPEG符号化されたデジタルテレビジョン伝送の導入に加えて、テレビジョン画像信号を表すデジタルデータストリーム中の多重化されたテキスト及び/又はグラフィックのページを表すデータ信号への対応がなされている。該データは情報のページを表し、このコンテキストにおいてページとは、テレビジョンのディスプレイ上に一度に表示されるデータの量を指す。斯くして、一度に表示されるのは通常1ページであろうが、分割画面を持ち、同時に多くのページを表示することは可能である。
【０００３】
標準のテレテキスト伝送では、ページが種々の手法でグループ化され、データ取得回路がグループ内の他のページを取得するように指示されていることが既知である。一例はFASTEXTシステムであり、該システムにおいては要請されたページとリンクされるページのページ番号が拡張パケットで送られ、前記取得回路は該拡張パケット中のデータにより規定されるページを取り込むように構成される。取り込まれたページの表示はページの底部に付加的な行を含み、行の中にはリンクされるページの識別シンボルが表示される。一般的に、これらの識別シンボルはリンクされるページの情報の内容を識別する短い索引語（catchword）であり、該識別シンボルは各々別の色で表示される。それに対応して着色されたボタンが遠隔制御ユニット上に設けられ、適当に着色されたボタンを押すことにより所与のリンクされるページを表示することが出来る。斯様な構成はUK-A-2146878で開示されている。
【０００４】
類似の種類のグループ化を持つ他のテレテキスト信号がTOPシステムである。このシステムにおいては、異なるページの間の連係（linkage）を与える、ページのテーブル（Table of Pages）として知られる特別なページが伝送される。また、遠隔制御ユニット上の着色されたボタンを用いてこれらのリンクされるページにアクセスすることができ、該着色されたボタンはディスプレイの行の中の適当に着色された識別シンボルに対応する。
【０００５】
ページの間のリンクは他の方法で指定され得る。ある機構はしばしばハビットウォッチ（habit watch）と呼ばれる。この場合には、テレビジョン受信機の中のマイクロコントローラが、ユーザによって習慣的にアクセスされるページ、又はその代わりにテレビジョン受信機がスイッチを切られる前に閲覧された最後のページであったページを監視し、テレビジョン受信機が次にスイッチを入れられる際にこれらのページを予め取り込むようにデータ取得回路に指示する。また、これらのページはディスプレイ上の識別シンボルに対応する遠隔制御ユニット上のボタンを選択して押すことによりアクセスされても良い。
【０００６】
テレビジョン受信機は幾つかの別のグループのページを取得し、記憶するように構成されても良く、グループのページをリンクさせる基準はグループの種類によって異なっても良い。FASTEXT及びTOPの場合には、グループを形成するためにリンクされるページ及び該ページをリンクさせる方式が、伝送のオーソリティ（the transmitting authority）により決定される。お気に入りページ（Favourite Pages）としても知られているハビットウォッチで集められるページは、視聴者により習慣的に選択されるページを監視するマイクロコントローラにより得られるか、又はその代わりに遠隔制御ユニット上のキーパッドを用いてページのリストを選択する設定手順によって視聴者により直接入力される。受信機は、これらの基準のいずれかに従ってグループ化されたページを取得し、記憶することが出来ても良い。明らかに、グループの各々のための識別シンボルが同一フォーマットを持つ場合には、このことが遠隔制御ユニット上に設けられる必要があるコード化ボタンの数を最小化するであろう。しかしながら、このことは、特定の時点にどの特定のグループのページがアクセスされているのかを判断することが視聴者にとって困難になり得るという不利な点を持つ。
【０００７】
【発明の開示】
本発明の目的は、テレビジョン受信機が、関連データ信号をデコ―ドし、このデータ信号が表す情報のグループ化されたページを記憶するように構成される場合に、ユーザとテレビジョン受信機との間のより容易な対話を可能にすることにある。
【０００８】
本発明は、テレビジョン画像信号を受信し、該テレビジョン画像信号は該テレビジョン画像信号に関連するデータ信号を持ち、該関連データ信号はテキスト及び/又はグラフィックのページを表し、ページはテレビジョン画像の代わりに又はテレビジョン画像に重ね合わされて表示することが可能な前記データであるテレビジョン受信機を提供し、当該テレビジョン受信機は、前記関連データの少なくとも選択されたページを取得するデータ取得回路、複数ページのデータを記憶するマルチページメモリ、複数の異なる基準に従って取得されたページをグループ化する手段、各グループの1ページ以上が現在表示されているグループのページとリンクされており、該表示されているページにリンクされるページの少なくとも幾つかに関係している複数の識別シンボルを表示する手段、該識別シンボルの各々が、識別シンボルにより識別されるリンクされるページを表示のために選択することが可能であるページ選択手段におけるシンボルと関係づけられており、及び自身の識別シンボルが現在表示されている該グループにどの基準が該当するのかを識別する一つ以上の更なる識別シンボル（further identification symbol）を表示する手段を有する。
【０００９】
テレビジョン受信機が、TOP及びFASTEXTの両方のグループ化信号並びに電子テレビ番組表（EPG）の信号も含むテレテキスト標準規格に従ってデータ信号を受信し、デコ―ドすることが出来る場合、如何なる所与の時点でも、グループの中のページの間のどの特定のリンクが効果的であるのかを把握しておくことは視聴者にとって困難で有り得る。更に、類似の手段がハビットウォッチのグループのページを選択するために用いられる場合、どのグループが現在選択されているのかを識別することは視聴者にとってますます困難になる。とりわけ、ハビットウォッチのページがTOP又はFASTEXTのリンクされるページと同様に選択されることは、このことが遠隔制御ユニット上に必要とされるボタンの数を最小化することから有用である。しかしながら、このことは、どの特定のグループのページが選択されているのか、及びどのリンクされるページが利用可能になりそうなのかを知る上での潜在的不確実性（the potential uncertainty）を増す。本発明は、ページがどのグループに属しているのかを示す更なる識別シンボルの表示を可能にしており、結果的に視聴者は、表示されたページにリンクされるページを支配する基準が分かるだろう。斯くして、ユーザは、リンクがブロードキャスタによってなされた決定によるものであるのかどうか、又はリンクが更なる視聴者のお気に入りページに対するものであるのかどうかが分かるだろう。
【００１０】
識別信号はディスプレイ上のページの外側の所定の位置の行（row）の中に表示されても良い。該所定の位置は表示画面の底部の行であっても良い。
【００１１】
これはTOP及びFASTEXTの識別シンボルが直ちに表示されるフォーマットであり、このフォーマットを保持することは、視聴者が、TOP及び/又はFASTEXTが妥当であろう構成の使用に先立つ知識として、表示される情報との対話の仕方を素早く学ぶことを可能にするであろう。
【００１２】
該識別シンボルの各々は別の色をしていても良い。ページ選択手段は、複数の着色されたキーを持つ遠隔制御ユニット、及び該遠隔制御ユニット上で操作される該キーの色により識別されるページを表示のために選択する手段を有しても良く、該着色されたキーの色は識別シンボルの色に対応する。
【００１３】
これは、現在、TOP及びFASTEXTの機能のために行われているのと同じ、テレビジョン受信機と視聴者との間の対話を可能にし、斯くして、視聴者がテレビジョン受信機と対話するために新しいプロトコルを学ぶ必要がなくなる。
【００１４】
表示されたページが2つ以上のグループのメンバである場合に、次いで、対応する数の識別シンボルの行が表示されても良く、対応する更なるシンボルは各行と対応づけられている。一例として、ページは視聴者のお気に入りページのグループのメンバであっても良く、該ページに関連するFASTEXT又はTOPのリンクも持っていても良い。斯くして、視聴者が、更なる識別シンボルを識別する第１ボタン及び所与の着色されたボタンにより視聴者が表示させたいページの識別シンボルを選択することが出来ても良い。選択された更なる識別シンボルが異なる場合には、明らかに、同一の着色されたキーを用いて別のページを選択し得る。他の例として、単一の識別シンボルの行が表示されても良く、該識別シンボルの中の情報は、更なる識別シンボルのうちどれがこの行の傍らに表示されるかに依存している。これらの状況の下では、視聴者がアクセスしたいグループのうちで連係を選択するために、更なる識別シンボルをスクロールすることが出来ることが必要である。斯くして、視聴者は、更なる識別シンボルをスクロールし、次いで着色されたボタンを用いてリンクされるページを選択することによりTOP、FASTEXT、お気に入りページのグループ等にアクセスし得る。
【００１５】
該グループのうちの1つは、視聴者によって入力されても良い、又は該視聴者によって習慣的に選択されるページを監視することによって生成されても良いお気に入りページのグループであっても良い。表示されたページから直接、識別シンボルの対象である該グループ中のページのうちの1つに移ることのみが可能であるが、該グループ中のページ数は、一度に画面上に表示され得る識別シンボルの数に限定される必要はない。斯くして、この例ではお気に入りページのリストが好ましさの降順で並べられるということになるかもしれない。この場合には、視聴者が該リストの一方の端から他方の端まで達することが予想されるであろう。他の例においては、お気に入りページがトピックによりサブグループ化され、斯くして例えば、ページの第1サブグループがニュースの項目に、ページの他のサブグループがスポーツの項目に、ページの他のサブグループが娯楽の項目に、及びページの他のサブグループが天気の項目に充てられ得る。明らかに、サブグループの対象は視聴者の特定の関心に依存するであろう。これをコード化し得る1つの便利な方法は、別のサブグループの第1ページ(the primary page)用に確保される1つの識別シンボル備える識別シンボルを割り当てられたサブグループのページを持つことである。この方法においては、別のサブグループに達するために必要とされるボタン操作の数が最小化されるであろう。
【００１６】
種々の視聴者と関連しているグループの幾つかにおいては、複数のお気に入りページのグループが記憶されても良い。どちらの場合においても、更なる識別シンボルはどの視聴者が選択されたお気に入りページと関連するのかを識別し得る。
【００１７】
家族環境において、該家族の種々のメンバのお気に入りページは彼らの異なる関心を反映し得る。斯くして、十代の娘はファッション及びポップスターに興味があるかもしれないのに対し、十代の息子はフットボール及びドライブに興味があるかもしれない。どの視聴者のお気に入りページがアクセスされているのかを示す更なる識別シンボルを作ることにより、視聴者が、誤って家族の他のメンバのお気に入りページにアクセスすることなく、素早く彼ら自身のお気に入りページに移ることが出来るようにする。
【００１８】
本発明の上記の及び他の特徴及び利点は、一例として、添付図を参照した本発明の実施例の以下の記載から明らかであろう。
【００１９】
【本発明を実施するための最良の形態】
図1に示されるように、テレビジョン受信機は普通のRF増幅回路2に接続される空中線1を有する。RF増幅回路の出力は同調回路（tuning circuit）3に供給され、同調回路3は受信されるべきチャネルを選択する。同調回路3の出力は復調回路4に供給され、復調回路4の出力からビデオ信号と帰線消去信号とが組み合わせられた信号が利用可能になる。ビデオ信号と帰線消去信号とが組み合わせられた信号はカラーデコーダ5に及びデータ取得回路6に供給され、データ取得回路6はテレビジョン信号と多重化されたデータを取得するように構成される。プログラムメモリ8を持つマイクロプロセッサ7は赤外線受信機9から入力信号を受信する。これらの入力信号は、マイクロプロセッサ7に受信機9を介して適当にコード化された命令を送信するために、キーパッドKP及び赤外線送信機TXを有する遠隔制御ユニット10を用いる、ユーザからの命令である。マイクロプロセッサ7へのこれらの命令は、受信機を待機から特定のチャネルへ切り換え、テレビジョン画像又はテキストが表示されるべきかどうかを選択し、どのデータページが表示のために取得されるべきかを決定する通常の機能を含むであろう。斯くして一般的に、遠隔制御ユニット10は、画像、テキスト又は混合モード並びにテレビジョン受信機及び/又はビデオ録画機に設けられ得る多くの他の特徴の表示のための選択に関する網掛けされた領域102中に数字キー101及び多くの他のファンクションキーを有するだろう。マイクロプロセッサ7は不揮発性メモリー11とも関連しており、不揮発性メモリー11においては、例えば、チャネルの各々を選択するためにマイクロプロセッサ7から同調回路3に渡されることを必要とされる情報を与えるデータを入力することが出来る。不揮発性メモリー11中のデータは、テレビセットが最初の使用のために設定される時に入力されるだろう。メモリ11はまた、特定のユーザのために所与のチャネルと関連するデータの好みページの詳細を含んでも良い。この情報は、ユーザにより遠隔制御ユニット10上のキーパッドKPを用いて入力されても良く、又はユーザがどのページを習慣的に要請するのかを監視することにより導き出され及び／又は更新されても良い。マイクロプロセッサ7は、インタフェース回路12を介してデータ取得回路6、及びデータ取得回路6により取得されるデータ信号の各ページのデータを記憶するメモリ13に接続される。このように、マイクロプロセッサ7は、データのどのページが取得されるのか、並びにそれらが記憶されるかどうか及びメモリ13中のどの位置に記憶されるのかを制御する。いくつかの状況においては、データ取得回路6が、伝送された全てのデータを取得し、FIFO（ファーストイン／ファーストアウト）メモリ中に該データを入力するように構成されても良く、該FIFOメモリからマイクロプロセッサ7が、メモリ13中に記憶することを望まれるページを伝達する。更に、マイクロプロセッサ7は、メモリ１３からデータを受け取り、テレビジョン受信機の画面上での表示のために該データをフォーマットするディスプレイセクション14とインタフェース回路12を介して通信する。
【００２０】
カラーデコーダ5及びディスプレイ回路14の出力はマルチプレクサ15の入力に供給され、マルチプレクサ15は表示のためにビデオ若しくはテキスト情報のどちらかを選択する、又は、該二つの情報の混合したものを選択するように構成される。マイクロプロセッサ7はインタフェース回路12を介してマルチプレクサ15の動作を制御する。マルチプレクサ15の出力は表示装置17にビデオ増幅器16介して供給される。
【００２１】
テレビジョン受信機がオン状態に切り替えられる際に、マイクロプロセッサ7は、受信機が合わせられるチャネルのためのお気に入りページを得るべく不揮発性メモリ11にアクセスする。次いで、マイクロプロセッサ7はデータ取得回路6にこれらのお気に入りページを取得し、メモリ13中に該お気に入りページを記憶するように指示する。これらのページの何れかがFASTEXT又はTOPリンクにより他のページにもリンクされる場合、次いで、マイクロプロセッサ7は、リンク命令（the linking instruction）をデコ―ドし、データ取得回路6にこれらの付加的なページを取得させ、メモリ13中に該付加的なページを入力させるだろう。視聴者が遠隔制御ユニット10を用いてテキスト機能を選択する場合、マイクロプロセッサは、ユーザが同時に特定のページ番号を要請しない限り、お気に入りページの第1ページが表示装置17上に表示されるようにするだろう。同時にマイクロプロセッサ7は更なる識別シンボルが表示画面17上に表示されるようにし、該更なる識別シンボルはこれがお気に入りページのグループであり、着色された識別シンボルがお気に入りページのリスト（the Favourite Pages list）の第1ページにリンクされるページを表すという事実を表す。次いでユーザがお気に入りページのリスト上の他のページを閲覧したい場合、次いで適当に着色されたボタンがこれらの他のページを選択する遠隔制御ユニット10上で操作される。しかしながら、視聴者が、他のお気に入りページにアクセスする代わりに、TOPまたはFASTEXTの機能を用いてリンクされるページにアクセスすることを決定することがあるかもしれない。この場合には、スクロールボタンが遠隔制御ユニット10上で押され、遠隔制御ユニット10は更なる識別シンボルに種々の機能をスクロールさせる。種々の機能とはFASTEXT、TOP、お気に入りページ、及び利用可能であり得るあらゆる他のグループ化である。便利なことに、識別シンボルは、リンクされるページの情報の内容を示し、遠隔制御ユニット10上の同様に着色されたボタンを操作することにより選択可能である短い索引語から成る。明らかに、更なる識別シンボルがスクロールされると、たいてい別の方法でリンクされるページの情報の内容は異なるので索引語は変わるであろうが、表示される索引語の色は同じままであろう。異なって着色された索引語の使用の他の例として、異なって着色されたページ番号を用いて、現在表示されているページにリンクされるページ番号が直接示されるようにすることも可能である。更なる他の例は、リンクされたページの情報の内容又は該ページの間の何らかの他の関係を表す着色されたグラフィックアイコンの使用である。
【００２２】
遠隔制御ユニット10はまた、多くの異なるユーザのうちどの一人がユニットを操作しているのかを示す信号を伝送するように構成されても良い。斯くして、家族の別のメンバは赤外線受信機9に別のコードを伝送しても良く、次いでマイクロプロセッサ7が家族のどのメンバがテレビジョン受信機を用いているのかを認識し、この特定の家族のメンバと関連するお気に入りページにアクセスするであろう。その場合、他の識別シンボルは家族のメンバの名前又はあだ名であっても良い。斯くして、それが彼らのお気に入りページなのか家族の別のメンバのお気に入りページなのか視聴者に直ちに明らかになるであろう。
【００２３】
テレビジョン受信機が視聴者のグループのどのメンバが現在テレビジョン受信機を制御しているのかを検出し得る1つの方法は、視聴者の各々が、テレビジョン受信機を待機状態からアクティブな状態に切り換える際に固有のコードを赤外線受信機9に送信する異なる遠隔制御ユニットを持つことである。この方法においては、マイクロコントローラ7はどの視聴者がテレビジョン受信機を制御しているのかを検出することができ、それ故、どのお気に入りページのセットを取得すべきかを検出することが出来る。しかしながら、視聴者がグループの他のメンバに属する遠隔制御ユニットを用いる場合、その視聴者がお気に入りページの間違ったセットを引き出し、付加的な識別シンボルは、視聴者に該遠隔制御ユニットが誤って取り上げられているかもしれないという事実を認識することを可能にするであろう。遠隔制御ユニット上のスクロールボタンを用いることにより、マイクロプロセッサ7は、次いで更なる識別シンボルに実際のユーザへスクロールするようにし、次いでテレビジョン受信機の制御において本当に視聴者のお気に入りページを得るように指示され得る。勿論、実際のユーザのお気に入りページが利用可能になる前に遅延があるかもしれないが、少なくとも視聴者は、このことの原因が、間違った遠隔制御ユニットがテレビジョン受信機を起動させるのに用いられていることにあることが分かるであろう。勿論更に、視聴者がグループ中の他のユーザの何れかのお気に入りページを監視することを可能にする。
【００２４】
我々の同時に継続している出願番号...............（出願人整理番号：PHB34303）において、受信機が現在合わせられるチャネル以外のチャネルのためのお気に入りページを記憶することは可能であることが開示されている。斯様なページを表示することが可能であることも開示されており、斯くして、受信機は、別のチャネル中のデータのテレテキスト表示をしながら、あるチャネルに合わせられ得る。更なる識別シンボル又は付加的な更なる識別シンボルは、テレビジョン受信機が現在合わせられているチャネルではないかもしれない、データが関連するチャネルを示すように構成されても良い。
【００２５】
視聴者がこれらの機能を制御することが出来るようにするために、遠隔制御送受器（the remote control handset）10は、数字キー101、及び表示画面上の識別シンボルの色に対応する複数の着色コード化ボタンR、Y、G及びBを設けられていても良い。更なる識別シンボルをスクロールするために用いられる更なるボタン『S』が設けられ、網掛けされた領域102はテレビジョン受信機及び/又は視聴覚装置の他の機能を制御する押しボタンを収容するだろう。斯くして、更なる識別シンボルに様々な可能性をスクロールさせるスクロールボタンのみの付加により、ユーザは実質的に彼又は彼女が慣れている遠隔制御ユニットと実質的に同一である遠隔制御ユニットを与えられる。更なる識別シンボルがスクロールされると、マイクロコントローラ7は自動的に識別シンボルの意味を変更するであろう、斯くして、視聴者は絶えず、なされる選択に関連した情報を与えられる。
【００２６】
図3は識別シンボルの有り得る表示フォーマットの例を示している。図3aに示されているように、情報のページが1乃至n行に表示されるのと同時に、2行以上の識別シンボルの行がn+1、n+2行等に表示される。この例において識別シンボルR1、Y1、G1及びB1は、TOPリンクによって表示されたページにリンクされるページを表しても良く、更なる識別シンボルTOPがn+1行の左手端を占めても良い。識別シンボルR2、Y2、G2及びB2は、FASTEXTリンクによって今のページにリンクされるページを表しても良く、更なる識別シンボルFTXTは、n+2行の左手端を占めても良い。
【００２７】
グループの他のページのうちの1つを選択するために、視聴者は、TOP又はFTXTの識別シンボルのどちらかを強調表示するようにスクロールボタンを操作し、スクロールボタンにより更なる識別シンボルTOPが強調表示される場合には、次いでn+1行中に対応する識別シンボルを持つリンクされるページを選択するR、G、Y又はBボタンのうち１つを操作し、又はスクロールボタンにより更なる識別シンボルFTXTをが強調表示される場合には、次いでn+2行中に対応する識別シンボルを持つリンクされるページが選択される。
【００２８】
明らかに、このように選択され得るページの他のグループがある場合に更にn+3、n+4行等を設けることが出来るが、この為により多くの行が用いられるので、ページ表示のために用いられ得る行の数は削減される。
【００２９】
図3bは、他の例の表示画面の構成を示しており、該構成は現在表示されているページにリンクされるページのために1行の識別シンボルしか用いないが、複数の行の左手端に表示される多くの更なる識別シンボルを持つ。図示されているように、これらの更なる識別シンボルはTOP、FTXT、FP及びEPGと標記される。これは、TOPシステム、FASTEXTシステム、電子テレビ番組表（electronic programme guide）リンク（EPG）及びお気に入りページ（FP）によりリンクされるグループを表す。この場合には、1行のみがグループ中のリンクされるページのための識別シンボルにより占められ、単一の更なる識別シンボルのみが他の行の中にある。
【００３０】
この場合にスクロールボタンの操作は、更なる識別シンボルの各々を順に強調表示し、選択されたグループに対応する識別シンボルを底部の行の中に表示させ、R、Y、G及びBボタンを用いて選択可能であるようにさせるであろう。
【００３１】
図3cは更なる他の例の表示画面の構成を示しており、該構成は識別シンボルR、G、Y及びBと更なる識別シンボルFISとの両方のために1行しか用いない。
【００３２】
この場合には、スクロールボタンの操作により、更なる識別シンボルFISが全ての別の更なる識別シンボル、即ちTOP、FTXT、EPG、FP等をスクロールする。斯くして、各更なる識別シンボルが表示されると、該更なる識別シンボルは視聴者にどのページのグループ化がアクティブであるのかを通知し、関連識別シンボルは、更なる識別シンボルと関連するグループの基準により選択されるであろうリンクされるページの内容を示すために変化するであろう。
【００３３】
図2及び3においては、4つの識別シンボルが遠隔制御ユニット上の4つの対応するボタンに関連して画面上に表示されるが、本発明はこの方法に限定されるものではない。より多くの又はより少ない識別シンボルが設けられても良く、該識別シンボルはどんな便利な手法で表示画面上に配列されても良く、必ずしも行をなして又は画面の底部に配列されなくても良い。更なる識別シンボルは、識別シンボルとともに行の中に表示されても良いが、他の例においては画面上のあらゆる便利な位置に設置されても良い。
【００３４】
識別シンボルは、現在、FASTEXT及びTOPのテレテキスト表示のために用いられているのと同様に、関連ページの情報の内容を識別する短い索引語であっても良いが、便利であり得るグラフィック又は数値の表示によるものであり得る。図3に示されている4つの識別シンボルは、4つの異なる色、例えば現在、英国においてFASTEXTサービスのために用いられているように、赤色、緑色、黄色及び青色をしていても良いが、シンボルを区別するあらゆる他の色が用いられても良い。
【００３５】
表示空間の継続的な占有を必要としない更なる識別シンボルの表示の他の可能性には、遠隔制御ユニット上の適当なボタンを押すことで更なる識別シンボルをディスプレイ上に“ポップアップ”させるものがある。次いで、このシンボルは所与の時間（例えば5秒）後に消える。ボタンを繰り返し押すことにより更なる識別シンボルをスクロールしても良い。これは、視聴者がチャネルを変更する際に短時間の間チャネルの番号又は識別を表示する多くの現在のテレビジョン受信機における慣行（practice）に着想が似ている。
【００３６】
斯くして、視聴者は最初にどのサービスが現在表示されているのか知るためにボタンを押しても良く、ボタンの他の押下の各々により次のサービスが提供され、適当な更なる識別シンボルが一時的に表示されるであろう。
【００３７】
種々のグループの数、及び結果的には更なる識別シンボルの数は設けられ得る種々のグループの数に依存する。斯くして、より高価な受信機が多くの種々のグループを持ち得るのに対して他方では、より基本的な受信機は少数の種々のグループを持つかもしれない。我々の同時継続出願番号...........（出願人整理番号：PHB 34303）において開示されているように、現在閲覧されているチャネル以外のチャネルに関連するページにアクセスすることが可能である場合、グループの数にチャネルの数を掛けられても良く、更なる識別シンボルはチャネル識別シンボルを含んでも良い。
【００３８】
本開示を読むことにより、当業者にとっては、他の変形例が明らかとなるであろう。斯かる変形例は、テレビジョン受信機及びその構成部品の設計及び使用において既知であり、且つ、上述した特徴の代わりに又はそれらに追加して使用することが出来るような他の特徴を含むことが出来る。本出願においては請求項は特定の特徴の組み合わせに対して記載されているが、本出願の開示の範囲は、何れかの請求項において現在記載されている発明と同一の発明に関するものであるか否かに拘わらず、且つ、本発明が解決するものと同一の課題の何れか又は全てを解決するか否かに拘わらず、当業者にとって明白であろう、本明細書で明示的に又は暗示的に開示された如何なる新規な特徴若しくは特徴の如何なる新規な組み合わせ又は1つ以上のこれらの特徴の如何なる一般化をも含むものと理解されるべきである。出願人は、斯かる特徴及び／又は斯かる特徴の組み合わせに関して、本出願又は本出願から派生する全ての他の出願の審査の間に、新しい請求項を記載することがあることを注記する。
【図面の簡単な説明】
【図１】  本発明によるテレビジョン受信機をブロック図形式で示す。
【図２】  図1に示されているテレビジョン受信機にコマンドを入力する遠隔制御ユニットを示す。
【図３ａ】  ディスプレイ上に識別シンボル及び更なる識別シンボルを表示するための非網羅的な数の可能性の例を示す。
【図３ｂ】  ディスプレイ上に識別シンボル及び更なる識別シンボルを表示するための非網羅的な数の可能性の例を示す。
【図３ｃ】  ディスプレイ上に識別シンボル及び更なる識別シンボルを表示するための非網羅的な数の可能性の例を示す。
【符号の説明】
１    空中線
２    RF増幅回路
３    同調回路
４    復調回路
５    カラーデコーダ
６    データ取得回路
７    マイクロプロセッサ
８    プログラムメモリ
９    赤外線受信機
１０  遠隔制御ユニット
１１  不揮発性メモリ
１２  インタフェース回路
１３  メモリ
１５  マルチプレクサ
【図１】
0004494641.tif 000002
【図２】
0004494641.tif 000003
【図３ａ】
0004494641.tif 000004
【図３ｂ】
0004494641.tif 000005
【図３ｃ】
0004494641.tif 000006